(57)【要約】【課題】   紫外線（ＵＶ−ＢおよびＵＶ−Ｃ）の中波長から短波長は人体の皮膚および眼に対して有害となる可能性がある。それ故、好適な実施例で３６５nm（ナノメータ）から４０５nmの長波長域での紫外線を放射するもので、長波長紫外線であっても長時間にわたる被ばくは人体の皮膚や眼にも有害となるものであるため、指爪部に極力集中させて照射する光源部を具備した安全性の高い爪コート用ジェル乾燥機を提供する。【解決手段】    紫外線による長時間照射による皮膚への有害となる指爪部以外への照射を防護できる構造体で、紫外線発光ダイオード（ＵＶ−ＬＥＤ）の点光源である特性での光量不足や光源からの発光を効率的に指爪部に照射出来る反射板の形状を楕円の方程式{x2a2＋y2b2＝１（a>b>0）}などを応用して、焦点照射を好適に設定された光源で、塗布された爪コート用ジェルを極力短時間で乾燥（硬化）させる。【選択図】  図４
2011098073.tif 000002
【特許請求の範囲】
【請求項１】
爪コート用ジェル乾燥機本体(１)の内部に、内壁構造体（２）を配置させて、該内壁構造体（２）の外周面上方部に配備される光源筒（３）を保持する半球体の凹部（３a）を設け、該凹部に嵌合して光源筒（３）が手動にて自在に傾倒回転可動する半球体凹部材（３b）を付設している。かつ、該半球対凹部材（３b）の内壁面に、光源筒（３）が上下可動を可能にさせるガイドリブ（３c）を形成されており、該光源筒（３）が手動にて自在に傾倒回転可動および上下調整する光源の焦点調整機構により指爪部の局部に最適な照射が可能な焦点調整機構で構成されたことを特徴とする爪コート用ジェル乾燥機。
【請求項２】
爪コート用ジェル乾燥機本体(１)の内部に内壁構造体（２）を配置させて、該内壁構造体（２）の外周面上方部に配備の光源筒（３）は、紫外線で長時間照射による皮膚への有害となる指爪部以外への照射を防護できる構造体で、光源からの発光を効率的に指爪部に照射出来る反射板（３Ａ）を光源筒（３）内部に形成されている。該反射板（３Ａ）は、指爪部に確実に照射可能となる形状として、楕円の方程式{x2a2＋y2b2＝１（a>b>0）}などを応用した焦点照射で好適に設定出来る反射板を具備されていることを特徴とする請求項１に記載の爪コート用ジェル乾燥機。
【請求項３】
爪コート用ジェル乾燥機本体(１)の内側と内壁構造体（２）の外周面には、適度な空間部（２a）が設けられ、該空間部（２a）は内壁構造体（２）の外周面上方部に複数個配備された光源筒（３）からの紫外線照射により、爪に光学的硬化反応するジェルを乾燥させる機能に補助作用する乾燥用ファン（７）のダクト機能を有し、内壁構造体（２）の内面部には、乾燥ファンの送風用吹き出し孔（２b）が最適に複数孔設けられていることを特徴とする請求項１又は２に記載の爪コート用ジェル乾燥機。
【請求項４】
爪コート用ジェル乾燥機本体(１)の内部に内壁構造体（２）を配置させて、該内壁構造体（２）の外周面上方部に（請求項１）での手動にて自在に傾倒回転可動および上下可動する光源筒（３）の内部に、着脱可能な基板に紫外線発光ダイオード（ＵＶ−ＬＥＤ）を固着させた発光基板（４）で構成されている。該発光基板（４）は、該発光基板面に紫外線発光ダイオード（ＵＶ−ＬＥＤ）を１個使用から多数個使用での光出力別や、また、多数個使用の場合、紫外線発光ダイオード（ＵＶ−ＬＥＤ）の紫外線波長の混在搭載をした（例えば、３６５nmと４０５nmの組合せなど）基板単位で、該発光基板の交換などに対応可能な着脱式になっている。また、該発光基板（４）のリード線(４a)は、内壁構造体（２）の外周面の上部に付設されたコントロール基板（５）にも着脱が可能となるようにコネクター（６）で接続されており、発光基板（４）の交換などが容易となる着脱式に構成されていることを特徴とする請求項１，２又は３に記載の爪コート用ジェル乾燥機。
【請求項５】
爪コート用ジェル乾燥機本体(１)の内側に配置させた、内壁構造体（２）の外周面上方部に付設されたコントロール基板（５）に搭載した光源用紫外線発光ダイオード（ＵＶ−ＬＥＤ）の定電流制御や照射コントロールをするプログラム（回路図省略）の動作状況を表示する液晶パネルや７セグメントＬＥＤなどの表示器（８）を具備させたことを特徴とする請求項１、２、３、又は４に記載の爪コート用ジェル乾燥機。
【発明の詳細な説明】
【技術分野】
【０００１】
本発明は、爪に各種カラーのネイルエナメル、ネイルコート装飾（カルジェルやジェルネイル）用ジェルや爪割れ防止用クリアコート剤を塗布して乾燥（硬化）させる爪コート用ジェルの乾燥機に関する。
【背景技術】
【０００２】
従来の、爪に光学的硬化反応するジェルを塗布して乾燥させるのに、管球のＵＶランプ等を光源としたネイル硬化ライトが一般的であったが、近年管球を半導体素子の紫外線発光ダイオード（ＵＶ−ＬＥＤ）に置き換えて、３６５nm（ナノメータ）波長から４０５nm波長ぐらいまでの間で選択された紫外線発光ダイオード（ＵＶ−ＬＥＤ）で照射するネイルジェル乾燥機が販売されている。しかし、管球の光源に比べて、紫外線発光ダイオード（ＵＶ−ＬＥＤ）は、点光源であるため指爪部の形状等にも個人差があり、光量不足や安定した効率的な照射が困難であった。ネイルジェル乾燥機は、紫外線発光ダイオード（ＵＶ−ＬＥＤ）を多数個で照射光源として、筐体内部の上方に配置し、筐体内部に手の皮膚表層側を挿入した先端の指先部を個別に概略位置を決める部材で反射板も兼ねて指爪部位に照射させる出願例もある。（例えば、実用新案文献１参照。）また、管球のネイル硬化ライト方式で前記の指先部への照射手段が可搬把持式の出願例もある。（例えば、特許文献２参照。）また、送付ファン付きの携帯用電池駆動式の出願例がある。（例えば、特許文献３参照。）また、筐体の手差込口に照射光源と連動してタイマーとアラームを付設した出願例もある。（例えば、実用新案文献１参照。）
【先行技術文献】
【特許文献】
【０００３】
【特許文献１】実用新案登録第３１４０１０９号公報
【特許文献２】特許第２９２６４３３号公報
【特許文献３】特開２００２−２３８６５１号公報
【特許文献４】実用新案登録第３０４３１６６号公報
【発明の概要】
【発明が解決しようとする課題】
【０００４】
しかしながら、従来の管球のＵＶランプ等を光源としたネイル硬化ライトや紫外線発光ダイオード（ＵＶ−ＬＥＤ）での光源は、当業者に知られたように、紫外線（ＵＶ−ＢおよびＵＶ−Ｃ）の中波長から短波長は人体の皮膚および眼に対して有害となる可能性がある。それ故、好適な実施例で３６５nm（ナノメータ）から４０５nmの長波長域での紫外線を放射するものである。長波長紫外線であっても長時間にわたる被ばくは人体の皮膚や眼にも有害となるものである為、指爪部に極力集中させて照射する光源部を付設した製品が求められる。個別に概略位置を決める部材で反射板も兼ねて指爪部位の曲面に照射するものも考案されているが、これらの機能付与では、従来機と同様、手差込口に挿入した手の表層面にも照射される構造で、また、乾燥機の構造も複雑になり、乾燥（硬化）使用時の使用感も良好でないと思われる。特に、紫外線による長時間照射による皮膚への有害となる指爪部以外への照射を防護できる爪コート用ジェル乾燥機が無かった。
【０００５】
そこで、本発明は、ネイルジェル乾燥機の光源である紫外線発光ダイオード（ＵＶ−ＬＥＤ）は、点光源である特性や、指爪部の形状等にも個人差があり、光量不足や安定した効率的な照射が困難であった課題を照射光源部の照射機構の考案により、指爪部の局部に照射出来る機能を付与した爪コート用ジェル乾燥機の提供することを目的とする。
【課題を解決するための手段】
【０００６】
上述の目的を達成するために、本発明に係る爪コート用ジェル乾燥機は、該爪コート用ジェル乾燥機本体の内部に内壁構造体を配置させ、該内壁構造体の外周面上方部に、手動にて自在に傾倒回転可動および上下可動する光源筒を設けた。該光源筒内部に着脱可能な基板に紫外線発光ダイオード（ＵＶ−ＬＥＤ）を固着させた発光基板で構成され、該発光基板は、紫外線発光ダイオード（ＵＶ−ＬＥＤ）を１個使用から多数個使用での光出力別や、また、多数個使用の場合、紫外線発光ダイオード（ＵＶ−ＬＥＤ）の紫外線波長の混在搭載をした（例えば、３６５nmと４０５nmの組合せなど）基板単位で、該発光基板の交換などに対応可能な着脱式で装着されている。また、該発光基板のリード線は、内壁構造体の外周面の上部に付設されたコントロール基板に、着脱が可能となるようにコネクターで接続されている。また、該光源筒は内壁構造体の外側面上方部に複数個配備させたものである。
【０００７】
爪コート用ジェル乾燥機本体の内部に内壁構造体を配置させ、該内壁構造体外周面上方部に該光源筒部を保持する半球体凹部を設け、該凹部に嵌合して光源筒が手動にて自在に傾倒回転可動にする半球凹部材を付設している。かつ、該凹部材の内壁面に光源筒が上下可動を可能にさせるガイドリブを形成されている。該光源筒が手動にて自在に傾倒回転可動および上下調整して、光源の焦点調整により、指爪部の局部に好適な照射が可能になるように構成されたものである。
【０００８】
爪コート用ジェル乾燥機本体の内部に内壁構造体を配置させ、該内壁構造体の外周面上方部に複数個配備された光源筒は、紫外線による長時間照射による皮膚への有害となる指爪部以外への照射を防護できる構造体で、光源からの発光を効率的に指爪部に照射出来る反射板を光源筒内部に形成されている。該反射板は、指爪部の局部に確実に照射可能となる形状として、楕円の方程式{x2a2＋y2b2＝１（a>b>0）}などを応用した焦点照射で好適に設定されている。
【０００９】
爪コート用ジェル乾燥機本体の内部面と内壁構造体の外周面の間に、適度な空間部が設けられ、内壁構造体の外周面上方部に複数個配備された光源筒からの紫外線照射による爪に光学的硬化反応するジェルを乾燥させる機能に、補助作用する乾燥用ファンのダクト機能を有し、内壁構造体の壁面部には、乾燥用ファンの送風用吹き出し孔が最適に複数孔設けられている。
【００１０】
爪コート用ジェル乾燥機本体の内部に内壁構造体を配置させ、該内壁構造体の外周面上方部に付設されたコントロール基板には、光源用の紫外線発光ダイオード（ＵＶ−ＬＥＤ）の定電流制御や照射コントロールするするプログラム制御素子（回路図省略）を回路基板に組み込んでプログラム設定での動作が可能とさせたものである。また、光源筒に装着された発光基板が着脱自在になるコネクター部も付設させたものである。
【発明の効果】
【００１１】
本発明は、上述の如く構成されるので、次に記載する効果を奏する。
【００１２】
（請求項１によれば、）爪コート用ジェル乾燥機本体の内部に内壁構造体を配置させ、該内壁構造体の外周部上方部に配備した光源筒を保持する半球体の凹部を設け、該凹部に嵌合して光源筒が手動にて自在に傾倒回転可動にする半球体凹部材を付設している。かつ、該半球対凹部材には光源筒が上下可動を可能にさせるガイドリブを形成されているので、光源筒を手動にて自在に傾倒回転可動および上下調整して、光源の焦点調整が可能で指爪部の局部に好適な照射調整が可能になる。
【００１３】
（請求項２によれば、）爪コート用ジェル乾燥機本体の内部に内壁構造体を配置させ、該内壁構造体の外周面上方部の光源筒は、紫外線による長時間照射による皮膚への有害となる指爪部以外への照射を防護できる構造体で、光源筒に形成された反射板は、指爪部に確実に照射可能となる形状として、楕円の方程式{x2a2＋y2b2＝１（a>b>0）}などを応用して焦点照射を好適に設定されているため、照射光源は指爪部の局部に確実に照射調整が可能になる。
【００１４】
（請求項３によれば、）爪コート用ジェル乾燥機本体の内側と内壁構造体の外周面は、適度な空間部が設けられており、該空間部は内壁構造体上方部に複数個配備された光源筒からの紫外線照射により、爪に光学的硬化反応するジェルを乾燥させる機能に補助作用する乾燥用ファンの送風用ダクト機能を有し、内壁構造体の壁面部に乾燥ファン用の吹き出し孔が最適に複数孔設けられており、送風乾燥の補助機能も効果的になる。
【００１５】
（請求項４によれば、）爪コート用ジェル乾燥機本体の内部に内壁構造体を配置させ、該内壁構造体の外周面上方部に配備した光源筒は、手動にて自在に傾倒回転可動および上下可動する機能を有している。該光源筒内部に着脱可能となるコネクター装備の発光基板単体の仕様変更（例えば、１個使用から多数個使用による基板単位での光出力仕様変更など）での交換が容易になる。
【００１６】
（請求項５によれば、）爪コート用ジェル乾燥機本体の内側に配置した内壁構造体の外周面上方部に付設されたコントロール基板に搭載された光源照射用の紫外線発光ダイオード（ＵＶ−ＬＥＤ）の定電流制御や照射コントロールをするプログラム（回路図省略）で動作状況を表示する液晶パネルや７セグメントＬＥＤなどの表示器により、プログラムモードの動作確認が可能になる。
【図面の簡単な説明】
【００１７】
【図１】本発明の実施の一形態を示すと共に使用状態の説明を兼ねた斜視図である。
【図２】本発明の一形態を示す一部横断面作用斜視説明図である。
【図３】本発明の一部破断平面作用説明図である。
【図４】本発明の一部破断平面作用説明図である。
【図５】本発明の実施の一形態を示すと共に構造体の説明を兼ねた一部横断説明斜視図である。
【図６】本発明の実施状態を示す基準座標図の説明図である。
【図７】本発明の他の実施での一部破断平面作用図である。
【発明を実施するための形態】
【００１８】
以下、実施の形態を示す図面に基づき、本発明を詳説する。
爪コート用ジェル乾燥機は、爪に光学的硬化反応するジェルを塗布して乾燥させために、半導体素子の紫外線発光ダイオード（ＵＶ−ＬＥＤ）の光源を指爪部に照射させて乾燥（硬化）させる目的で使用するものである。図１に、本発明に係る爪コート用ジェル乾燥機一形態を示し、本発明の爪コート用ジェル乾燥機は、爪コート用ジェル乾燥機本体(１)の外周部上方に表示器（８）や操作スイッチ類（図示省略）が配置されている。
【００１９】
図２に、爪コート用ジェル乾燥機本体(１)の内部に内壁構造体（２）を配置させた外周面上方部に着脱可能で手動にて自在に傾倒回転可動する光源筒（３）が付設されている形態での一部横断面作用説明図を示す。
【００２０】
図３乃至図４に、光源筒（３）の傾倒可動および上下可動する機構を示すと共に、光源からの発光を効率的に指爪部に照射出来る反射板（３Ａ）を光源筒（３）内部に形成されている一部分破断面説明図を示す。また、図５に、本発明の実施の一形態を示すと共に構造体の説明を兼ねた一部横断説明斜視図である。
【００２１】
図６に、反射板（３Ａ）は、指爪部に確実に照射可能となる形状となるように、楕円の方程式{x2a2＋y2b2＝１（a>b>0）}などを応用して焦点照射を好適に設定されている基準作図座標の説明図を示す。
【００２２】
また、図７に、（図３）の主要構造部を携帯用の１本指用に応用した用途例の一部破断平面図を示す。
【００２３】
なお、本発明は、上述の実施の形態に限定されず、例示の爪コート用ジェル乾燥機本体(１)の内部に内壁構造体（２）を配置させた内壁構造体（２）の外周面上方部の光源筒（３）の形状、数量の増減や紫外線発光ダイオード（ＵＶ−ＬＥＤ）の形状により（例示は砲弾型）、光源筒（３）に反射板を形成させずに光源筒（３）の手動にて自在に傾倒回転可動および上下調整して光源の焦点調整が可能な機構のみの形状でも可能である。また、反射板（３）の焦点作用方式の形状や（例えば、集光拡散点、平行光など）用途例の形状など（例えば、指1本用など）は、本発明の特許請求に記載された要旨を逸脱しない範囲で設計変更可能である。
【産業上の利用可能性】
【００２４】
本発明は、上述の如く構成され、効果を奏するので、次に記載する分野での実施が可能である。
【００２５】
本発明は、手などの指爪部の装飾目的とした各種カラーのネイルエナメル、ネイルコート装飾（カルジェルやジェルネイル）用ジェルの乾燥（硬化）として、また、爪割れ防止用および保護など、紫外線硬化樹脂をベースにしたコート塗布剤の乾燥用に指爪部の局部照射調整が可能な器具として利用可能である。
【符号の説明】
【００２６】
１      爪コート用ジェル乾燥機本体
２      内壁構造体
２a     空間部
２b     乾燥用ファンの送風用吹き出し孔
３      光源筒
３Ａ    反射板
３a     半球体凹部
３b     半球体凹部材
３c     ガイドリブ
４      発光基板
４a     リード線
５      コントロール基板
６      コネクター
７      乾燥用ファン
８      表示器
【図１】
2011098073.tif 000003
【図２】
2011098073.tif 000004
【図３】
2011098073.tif 000005
【図４】
2011098073.tif 000006
【図５】
2011098073.tif 000007
【図６】
2011098073.tif 000008
【図７】
2011098073.tif 000009